(57)【要約】【課題】所定間隔を空けて対置させる一対の支承部材と、この一対の支障部材間に回転自在に支承される外周に多数の尖頭突起を突設させた回転体とで構成することによって、これを取り付けた塀やベランダの手摺、窓の桟を乗り越えて不法侵入者やとくに猫が敷地内や建物内へ侵入するのを防止し、合せて鳥とくに烏や鳩がつかまってフンをするのを防止する。【解決手段】所定間隔を空けて対置させる一対の支承部材と、この一対の支障部材間に回転自在に支承される外周に多数の尖頭突起を突設させた回転体とで構成しするとともに、回転体を、前記一対の支承部材間に差し渡した支承バーと、この支承バーの外周に回転自在に取り付けた外周に多数の尖頭突起を突設して成る筒体とで構成したり、前記一対の支承部材間に回転自在に差し渡した支承バーと、この支承バーの外周に回転自在に取り付けられた内部筒体と、この内部筒体の外周に回転自在に取り付けた外周に多数の尖頭突起を突設した内部筒体とで構成する。外部筒体は、これを互いに独立した複数のリング状の筒体で構成することができる。【選択図】　　　　　図６
2004024015.tif 000002
【特許請求の範囲】
【請求項１】
所定間隔を空けて対置させる一対の支承部材と、この一対の支障部材間に回転自在に支承される外周に多数の尖頭突起を突設させた回転体とで構成したことを特徴とする、防御装置。
【請求項２】
前記回転体は、前記一対の支承部材間に差し渡した支承バーと、この支承バーの外周に回転自在に取り付けた外周に多数の尖頭突起を突設して成る筒体とで構成されていることを特徴とする、請求項１に記載の防御装置。
【請求項３】
前記回転体は、前記一対の支承部材間に回転自在に差し渡した支承バーと、この支承バーの外周に回転自在に取り付けられた内部筒体と、この内部筒体の外周に回転自在に取り付けた外周に多数の尖頭突起を突設した内部筒体とで構成されていることを特徴とする、請求項１に記載の防御装置。
【請求項４】
請求項２の筒体と請求項３の外部筒体は、互いに独立した複数のリング状の筒体で構成されていることを特徴とする、請求項２と請求項３に記載の防御装置。
【発明の詳細な説明】
【０００１】
【発明の属する技術分野】
この発明は、建物の敷地内や建物内部への不法侵入者や野良猫、烏等が侵入するのを防止する際に用いて好適な防御装置に関する。
【０００２】
【従来の技術】
従来、建物の敷地内へ塀を越えて侵入する不法侵入者を防止するために、塀の上端部に多数のガラス片やその他の尖頭突起物を植設したり、有刺鉄線を設置したりする防犯装置が公知である。
【０００３】
また、近年では人間による敷地内への不法侵入の他に、烏や猫が建物の敷地内やベランダ内へ侵入し、食べ物の残り物を漁ったり、フンをしたりする鳥獣公害もとくに都市部において深刻となっている。
【０００４】
【発明が解決しようとする課題】
上述した塀の上端にガラス片や尖頭突起物を植設したものは、その上に厚手の洋服や毛布を被せると、易々と乗り越えて侵入を許してしまうという問題点があり、ベランダの手摺や窓の桟に至っては、今だに手摺や桟につかまって外部から不法侵入者が侵入するのを防止したり、或は烏や鳩がとまってベランダ内へ侵入したり、手摺や桟につかまってフンをしたりするのを防止する有効な手段は見つかっていない。
【０００５】
この発明は、かかる点に鑑みてなされてものであり、その目的とするところは、塀やベランダの手摺或は窓の桟を乗り越えて不法侵入者が敷地内や建物内部に侵入するのを有効に防止し、併せて上述した鳥獣公害も有効に防止することのできる防御装置を提供せんとするにある。
【０００６】
【課題を解決するための手段】
上述した目的を達成するためにこの発明は、所定間隔を空けて対置させる一対の支承部材と、この一対の支障部材間に回転自在に支承される外周に多数の尖頭突起を突設させた回転体とで構成することによって、これを取り付けた塀やベランダの手摺、窓の桟を乗り越えて不法侵入者やとくに猫が敷地内や建物内へ侵入するのを防止し、合せて鳥とくに烏や鳩がつかまってフンをするのを防止するものである。
【０００７】
その際にこの発明は、前記回転体を、前記一対の支承部材間に差し渡した支承バーと、この支承バーの外周に回転自在に取り付けた外周に多数の尖頭突起を突設して成る筒体とで構成したり、或は前記一対の支承部材間に回転自在に差し渡した支承バーと、この支承バーの外周に回転自在に取り付けられた内部筒体と、この内部筒体の外周に回転自在に取り付けた外周に多数の尖頭突起を突設した内部筒体とで構成することができる。
【０００８】
さらに、上記筒体や外部筒体は、互いに独立した複数のリング状の筒体で構成することができる。
【０００９】
【発明の実施の形態】
以下にこの発明の一実施の形態を図面に基づいて詳細に説明する。図１において、指示記号１，１は、所定間隔を空けて離間対置させる一対の支承部材であり、この各支承部材１，１は、それぞれ断面略アングル形状を呈し、取付部１ａ，１ａと、この取付部１ａ，１ａより立設させた支承部１ｂ，１ｂから成る。この支承部１ｂ，１ｂに設けた軸穴１ｃ，１ｃには、外周に多数の尖頭突起２ａ…を突設した回転体２が、その両端部軸方向へ突設したボス部２ｂ，２ｂを回転自在に軸承させている。尚、この一対の支承部材１，１の設置間隔は約９０ｃｍ程度であることが望ましいが、この長さに限定されない。
【００１０】
したがって、図１に示したように、支承部材１，１を塀やベランダの手摺、窓の桟等に取り付けると、回転体２の外周には多数の尖頭突起２ａ…が突設されていることから、手を掛けにくく、かつ、手を掛けても回転体２が回転してしまうことから、乗り越えることが困難となって不法侵入者が塀や手摺或は桟を越えて敷地内や建物内へ侵入するのを有効に防止することができるものである。回転体２に厚手の服や毛布を被せても、回転体が回転するため、安定しないことから侵入を著しく困難にするものである。
【００１１】
他方、烏や鳩、或は猫等の鳥獣は、回転体２の外周に突設した多数の尖頭突起２ａ…によって、飛び乗ったり、つかまったりすることが困難となり、仮に飛び乗ったり、つかまったりしても回転体２が回転するため、その姿勢を維持することができないことから、鳥獣の侵入や手摺や桟につかまってフンをされたりすることを有効に防止することができるものである。尚、支承部材を取り付ける場所は、以上の他に窓の枠、屋上の手摺等設置場所に限定はない。
【００１２】
図２と図３はこの発明に係る防御装置の他の実施の形態を示し、図１に示した実施の形態との違いは、外周に多数の尖頭突起５ａ…を突設した回転体５が長筒状になっており、支承部材６，６の支承部６ｂ，６ｂに設けた軸穴６ｃ，６ｃはボス部５ｂ，５ｂを支承させた支承バー７の外周に回転自在に取り付けられている点である。尚、指示記号６ａ，６ａは支承部材の取付部である。
【００１３】
このように実施すると、回転体５が中空になるための重量が大幅に軽減される結果、より回転し易くなるという利点がある。
【００１４】
図４と図５はさらに他の実施の形態を示し、支承部材１０，１０の取付部１０ａ，１０ａより立設した支承部１０ｂ，１０ｂより突設したボス部１０ｃ，１０ｃには、内部筒体１１がその両端部を回転自在に軸支されており、この内部筒体１１の外周に外部筒体１２が回転自在に取り付けられている。そして、外部筒体１２の外周には多数の尖頭突起１２ａ…が突設されている。尚、この実施の形態のものは、ボス部１０ｃ，１０ｃを省略して、支承部材１０，１０の支承部１０ｂ，１０ｂ間に支承バーを取り付け、この支承バーに内部筒体を回転自在に取り付けるようにしても良い。
【００１５】
このように実施すると、外部筒体１２がゴミの詰まりやくっつき等で回転しない場合でも、内部筒体１１が回転自在なので、外部筒体１２を共に回転させることが出来るという利点がある。
【００１６】
図６と図７はさらに他の実施の形態を示し、図面によれば、支承部材１５，１５の取付部１５ａ，１５ａより立設した支承部１５ｂ，１５ｂには、互いに対向して一対の筒状のボス部１５ｃ，１５ｃが設けられ、このボス部１５ｃ，１５ｃに内部筒体１６がその両端部において回転自在に懸架されており、この内部筒体１６の外側に複数のリング状を呈した外部筒体１７…が回転自在に取り付けられている。そして、この各外部筒体１７…の外周には、複数の尖頭突起１７ａ…が突設されている。このように実施すると、各外部筒体１７…の回転がさらに容易なものとなる。
【００１７】
図８は支承部材をとくにベランダの手摺や窓の桟に取り付ける場合を示し、支承部材２０の取付部２０ａに凹所２０ｃを設け、この凹所２０ｃと固定板２１に設けた凹所２１ａとの間で手摺や桟２３を挟み、ボルト２２，２２で固定するものである。このように実施すると、支承部材２０の着脱が容易となるという利点がある。尚、指示記号２０ｂは支承部であり、２０ｃはボス部である。この図面では、図７に示した実施の形態のものを示してあるが、他の図面に示した実施の形態のものにも適用できる。
【００１８】
また、以上の各実施の形態において、各尖頭突起は高さが揃えられて等間隔に整列されたものが示されているが、尖頭突起の高さはまちまちであっても良く、等間隔に整列させずとも、ランダムに設けることは可能である。また、各尖頭突起の先端部は、鋭角に尖らせても良いが、とくにベランダの手摺や窓の桟に取り付けるものは、若干の丸みを持たせてちょっと触れた程度で、手指を刺さないように工夫することが望ましい。、さらに、尖頭突起を設ける回転体、筒体、及び外部筒体は、合成樹脂製であるが、尖頭突起を合成樹脂製ではなく、他のガラス片その他の硬いものを植設或は接着するように構成しても良い。
【００１９】
さらに、回転体、筒体及びリング状の各外部筒体を同一色にしたり、さまざまな色にしてカラフルにすると、外観上美しくなる。とくに緑色にすると、植物のような外観を呈することになる。
【００２０】
【発明の効果】
この発明は以上のように構成したので、次のような効果を奏し得る。
【００２１】
請求項１のように構成すると、装置を塀やベランダの手摺、窓の桟等に取り付けた場合、回転体の外周には多数の尖頭突起が突設され、かつ回転体が回転自在であるので、不法侵入者や猫は手を掛けて乗り越えることによって侵入することが困難となることからこれを防止でき、かつ烏、鳩等の鳥がつかまることが困難となるので、ベランダや窓にフンをされて汚されることを可及的に防止することができるものである。
【００２２】
請求項２のように構成すると、請求項１と同じ効果を奏した上で、筒体の重量が軽くなるので、より筒体が回転し易くなり、侵入防止効果を上げることが出来るという効果を奏し得る。
【００２３】
請求項３のように構成すると、外部筒体が何らかの原因で回転しにくくなっても、内部筒体が回転するので、結果として外部筒体の回転が可能となるという効果を奏し得る。
【００２４】
請求項４のように構成すると、外部筒体がリング状に多数に分割されているので、その回転能力がさらに拡大し、体重の比較的に軽い烏や鳩、或は猫の体重によっても容易に回転し、烏や鳩をとまりにくくし、猫が乗ったり爪を掛けたりしにくくするという効果を奏し得る。
【図面の簡単な説明】
【図１】この発明に係る防御装置の一実施の形態を示す一部断面正面図である。
【図２】この発明に係る防御装置の他の実施の形態を示す一部断面正面図である。
【図３】図２のＡ−Ａ線拡大断面図である。
【図４】この発明に係る防御装置の他の実施の形態を示す一部断面正面図である。
【図５】図４のＢ−Ｂ線拡大断面図である。
【図６】この発明に係る防御装置の他の実施の形態を示す一部断面正面図である。
【図７】図６のＣ−Ｃ線拡大断面図である。
【図８】リング状の外部筒体の拡大平面図である。
【図９】この発明に係る防御装置の取付方法を説明する説明図である。
【符号の説明】
１，６，１０，１５，２０　支承部材
２，５　回転体
２ａ，５ａ，１３ａ，１７ａ　尖頭突起
７　支承バー
１１，１６　内部筒体
１２，１７　外部筒体
【図１】
2004024015.tif 000003
【図２】
2004024015.tif 000004
【図３】
2004024015.tif 000005
【図４】
2004024015.tif 000006
【図５】
2004024015.tif 000007
【図６】
2004024015.tif 000008
【図７】
2004024015.tif 000009
【図８】
2004024015.tif 000010
【図９】
2004024015.tif 000011